(57)【要約】      （修正有）【課題】端子板から外した端子ネジを上方に引き上げて開閉器のケースカバーに掛止保持する端子リフターについて、配線作業性の改善を図る。【解決手段】端子板４にワッシヤー６と組み合わせた端子ネジ５を螺合して外部配線を接続する開閉器の端子装置で、端子ネジの上方を開閉器のケースカバー１ａで覆い、カバーに開口した挿入穴１ａ−１を通して端子ネジをドライバでネジ締め操作する端子において、ネジを緩めて端子板から外した端子ネジを保持させる手段として、端子ネジに嵌着した支持リング７ａおよび該支持リングの周縁から上方に起立する引き上げアーム７ｂからなる端子リフター７を備え、ケースカバー１ａの上面に開口したアーム挿通穴を通して前記引き上げアームの先端をカバー上方に引き出しておき、端子ねじの引き上げ位置で引き上げアームの係合突起７ｃをケースカバーの穴に掛止して保持する。【選択図】        図１
2005235730.tif 000002
【特許請求の範囲】
【請求項１】
開閉器ケースの両端に形成した電源側，負荷側の端子台部に引き出して配列したネジ穴付き端子板にワッシヤーと組み合わせた端子ネジを螺合して外部配線を接続する開閉器の端子装置であり、端子ネジの上方を開閉器のケースカバーで覆い、該カバーの上面に開口したドライバ挿入穴を通して前記端子ネジをドライバによりネジ締め操作するようにしたものにおいて、
ドライバ操作によりネジを緩めて前記端子板から外した端子ネジを上方に引き上げてケースカバーに仮保持させる手段として、前記端子ネジに結合し、ケースカバーの上面側からアクセスした手動操作により端子ネジを引き上げ位置に掛止保持する端子リフターを備えたことを特徴とする開閉器の端子装置。
【請求項２】
請求項１記載の端子装置において、端子リフターが、端子ネジの頭部周面に嵌着した支持リング，および該支持リングの周縁から上方に起立する左右一対の引き上げアームからなる樹脂成形品であり、ケースカバーの上面に開口したアーム嵌挿穴に通して前記引き上げアームの先端をケースカバーの上方に引き出して組み付けたことを特徴とする開閉器の端子装置。
【請求項３】
請求項２記載の端子装置において、端子リフターの引き上げアームに、端子ネジの引き上げ位置でリフターをケースカバーのアーム嵌挿穴に掛止する係合突起を設けたことを特徴とする開閉器の端子装置。
【請求項４】
請求項２記載の端子装置において、端子リフターの引き上げアーム先端部に側方よりドライバを差し込んで端子リフターを引き上げるための操作穴を開口したことを特徴とする開閉器の端子装置。
【請求項５】
請求項２記載の端子装置において、端子リフターの引き上げアーム上端部に指掛け溝を形成したことを特徴とする開閉器の端子装置。
【請求項６】
請求項２記載の端子装置において、端子リフターの引き上げアームの基部に、支持リングを分断して撓み性を付与する切欠き部を形成したことを特徴とする開閉器の端子装置。
【請求項７】
請求項１記載の端子装置において、端子台部を包囲して開閉器ケースの両端にフィンガープロテクション機能を備えた上下二分割構造の端子カバーを装着したことを特徴とする開閉器の端子装置。
【請求項８】
請求項７記載の端子装置において、端子カバーが、開閉器のケースカバーに係止支持した上部カバーと、該上部カバーの下面側に嵌合して係止支持した下部カバーとの組み合わせからなり、かつ上部カバーには前記ケースカバーのドライバ挿入穴に連通する穴部および外部配線の電線を通す切欠溝を形成し、下部カバーには上部カバーに係止した位置で前記切欠溝の開放端域を閉塞する衝立状の前壁を形成したことを特徴とする開閉器の端子装置。
【請求項９】
請求項８記載の端子装置において、上部カバーに下部カバーを係止結合する手段として、上部カバーに係合爪部，下部カバーに上下複数段の係合溝部を形成したことを特徴とする開閉器の端子装置。
【発明の詳細な説明】
【技術分野】
【０００１】
本発明は、配線用遮断器，電磁接触器などに適用してその主回路端子に外部配線を接続する開閉器の端子装置に関する。
【背景技術】
【０００２】
頭記の開閉器では、端子装置として開閉器ケースの両端に形成した電源側，負荷側の端子台部に引き出した端子板（ネジ穴付き端子板）にワッシャーと組み合わせた端子ネジを螺合し、外部から端子台に差し込んだ電線の各種圧着端子（丸形，Ｕ形圧着端子）を端子ネジにより締結して端子板に接続するようにしている。また、この端子装置は、充電部の露出による感電事故を防止するために、外部配線の差し込み側端面を除いて端子板，端子ネジを備えた端子台部の上面を開閉器のケースカバーで覆うようにした構造が一般的である。
一方、前記の端子装置について、丸形圧着端子付きの電線を接続する場合の配線作業が簡単に行えるようにするために、樹脂成形品になる指掛け部（把手）付きの端子リフター（端子ネジの引き上げ具）を端子ネジに組み付けておき、ドライバ（ネジ回し工具）の操作によりネジを緩めて端子板から取り外した端子ネジを、端子板から上方に引き上げた位置で開閉器ケースの端子カバーに一時的に掛止保持させるようにした端子装置が先に提案されている（特許文献１参照）。
【０００３】
この特許文献１に開示されている端子装置の端子リフターは、端子ネジの頭部に嵌着した環状のネジ掛け部に連結部を介して前方に突き出した指掛け部を設けておき、端子ネジを緩めて端子板から外した状態で開閉器ケースの端面から前後に突き出した前記指掛け部を手動で上方に引き上げ、前記連結部を端子カバーに形成したスリット溝内に掛止させて端子ネジを引き上げ位置に保持させるようにしている。
【特許文献１】特開２００１−１２６６０６号公報
【発明の開示】
【発明が解決しようとする課題】
【０００４】
ところで、特許文献1に開示されている従来構造では、前記端子リフターの指掛け部が開閉器ケースの端子台端面（電源側，負荷側）から前方に突き出している。このために、開閉器を配電盤，制御盤などの盤内に設置して外部配線の電線を接続する、あるいは開閉器の負荷側に近接して接続モジュール，電磁接触器などを設置した上で、その相互間を配線する場合に、開閉器ケースの端面から突き出ている前記端子リフターの指掛け部が障害物となって干渉し、そのために配線作業がやり難くなる。また、開閉器に接近して接続モジュール，電磁接触器が隣接配置されていると、両者間に十分なスペースが確保されず、前記の指掛け部に手を掛けて端子リフターを引き上げることが困難となる操作性の問題もある。
本発明は上記の点に鑑みなされたものであり、その目的は前記課題を解決し、開閉器に外部配線，接続モジュールなどを接続する際にその配線作業との不要な干渉無しに、ケースカバーの上面から端子リフターにアクセスし、簡単な操作で端子板から外した端子ねじを引き上げ位置で開閉器のケースカバーに掛止保持できるようにして操作性を向上し、さらに加えて多様な外部配線にも対応可能なフィンガープロテクション機能を持たせて充電部の露出による感電事故を防止するようにした開閉器の端子装置を提供することにある。
【課題を解決するための手段】
【０００５】
上記目的を達成するために、本発明によれば、開閉器ケースの両端に形成した電源側，負荷側の端子台部に引き出して配列したネジ穴付き端子板にワッシャーと組み合わせた端子ネジを螺合して外部配線を接続する開閉器の端子装置であり、端子ネジの上方を開閉器のケースカバーで覆い、該カバーの上面に開口したドライバ挿入穴を通して前記端子ネジをドライバによりネジ締め操作するようにしたものにおいて、
ドライバ操作によりネジを緩めて前記端子板から外した端子ネジを上方に引き上げてケースカバーに仮保持させる手段として、前記端子ネジに結合し、ケースカバーの上面側からアクセスした手動操作により端子ネジを引き上げ位置に掛止保持する端子リフターを備える（請求項１）ものとし、該端子リフターを含めて具体的に端子装置を次記のような態様で構成する。
（１）前記の端子リフターは、端子ネジの頭部周面に嵌着した支持リング，および該支持リングの周縁から上方に起立する左右一対の引き上げアームからなる樹脂成形品になり、ケースカバーの上面に開口したアーム嵌挿穴に通して前記引き上げアームの先端をケースカバーの上方に引き出して組み付ける（請求項２）。
（２）前記端子リフターの引き上げアームに、端子ネジの引き上げ位置でリフターをケースカバーのアーム嵌挿穴に掛止する係合突起を設ける（請求項３）。
（３）前記端子リフターの引き上げアームの先端部に、側方からドライバの差し込みが可能な引き上げ操作穴を開口し、端子板から外した端子ネジを上方に引き上げてケースカバーに保持させる際に、前記操作穴にドライバなどの工具を差し込むか、あるいは指を掛けて端子リフターの引き上げ操作をサポートするようにする（請求項４）。
（４）前記端子リフターの引き上げアーム上端部に指掛け溝を形成し、端子リフターを引き上げる際に前記溝に指を掛けて引き上げ操作が楽に行えるようにする（請求項５）。
（５）前記端子リフターの引き上げアームの基部に、支持リングを分断して撓み性を付与する切欠き部を形成しておき、端子リフターを端子ネジに嵌着する際に、支持リングを広げて端子ネジ頭部への嵌め込み作業が楽に行えるようにする（請求項６）。
（６）さらに、前記構成の端子装置に対し、端子台部を包囲して開閉器ケースの両端に上下二分割構造の箱型端子カバーを装着してフィンガープロテクションレベルＩＰ２０の保護構造を確保できるようにする（請求項７）。
（７）前記端子カバーが、開閉器のケースカバーに係止支持した上部カバーと、該上部カバーの下面側に嵌合して係止支持した下部カバーとの組み合わせからなり、かつ上部カバーには前記ケースカバーのドライバ挿入穴に連通する穴部および外部配線の電線を通す切欠溝を形成し、下部カバーには上部カバーに嵌合した位置で前記切欠溝の開放端域を閉塞する衝立状の前壁を形成する（請求項８）。
（８）前記端子カバーの上部カバーに下部カバーを係止結合する手段として、上部カバーに係合爪部，下部カバーに上下複数段の係合溝部を形成し、外部配線の太さ，本数に合わせて下部カバーの係止位置を上下に調節できるようにする（請求項９）。
【発明の効果】
【０００６】
上記構造の端子リフターを端子装置に装備することにより、先記の特許文献１における端子リフターのように開閉器ケースの前後端面から配線方向に突き出す部分（指掛け部）がないので、端子リフターが配線作業の障害物となって干渉する懸念は全くない。しかも、端子リフターへのアクセス，引き上げ操作は開閉器ケースのカバー上面側から自由に行えるので、従来構造の端子装置と比べて配線作業性の大幅な改善が図れる。
また、この端子装置に対して端子台部の周域を包囲する箱型の端子カバーを付設することでフィンガープロテクションレベルＩＰ２０（ＮＥＭＡ規格）の保護構造を確保して感電事故に対する安全性を高めることができ、さらにこの端子カバーを上部カバーと下部カバーに二分割し、かつ上部カバーに対して下部カバーの係止位置を上下に調節することによりカバー端面に開口した外部配線の挿通穴を拡大，縮小可能にした組立構造とすることにより、開閉器に接続する外部配線の太さ，本数が様々に変わっても、確実なフィンガープロテクション機能を確保できる。
【発明を実施するための最良の形態】
【０００７】
以下、本発明の実施の形態を図１〜図９に示す実施例に基づいて説明する。まず、本発明の端子装置を装備した開閉器（三相回路用の配線用遮断器）の全体図，および端子ネジにワッシャー，端子リフターを結合した状態を図１（ａ），（ｂ）に示す。
図１において、１はカバー１ａ，中間ケース１ｂ，下部ケース１ｃの三分割構造になる開閉器ケース、２はカバー上面に装着した開閉操作用のハンドルであり、開閉器ケース１には前後両端部に電源側，負荷側の端子台部が形成されており、ここに本発明による端子装置３が構築されている。ここで、端子装置３は、ケース内部の電流遮断部から端子台に引き出して左右に配列したU，Ｖ，W各相に対応する主回路の端子板４と、該端子板４の板面に穿孔したネジ穴に螺合する端子ネジ５と、端子ネジ５に嵌着した配線端子押え用のワッシャー６と、端子ネジ５に結合した端子リフター（樹脂成形品）７とからなる。
【０００８】
次に、前記端子リフター７の詳細構造を図２，図３に示す。すなわち、端子リフター７は端子ネジ５の頭部５ａの外周に嵌着した円環状の支持リング７ａと、該支持リング７ａの周縁から上方に起立する左右一対の引き上げアーム７ｂからなり、支持リング７ａの内周面には段付きのフック部７ｃを形成しておき、図３（ｂ）で示すように端子リフター７を端子ネジ５に組み付けた状態で、前記フック部７ｃをネジ頭部５ａの周縁に形成した段付き部５ａ−1に係合して支持するようにしている。また、引き上げアーム７ｂには後記のように端子リフター７を上方に引き上げた状態で開閉器ケース１のカバー１ａに掛止保持させる係合突起７ｄが形成されており、さらに引き上げアーム７ｂの上端側には側方からドライバなどの工具が差し込み可能な操作穴７ｅ、および指を掛けて引き上げアーム７ｂを引き上げ操作し易くするように指掛け溝７ｆを形成している。なお、係合突起７ｄをカバー側から形成して引き上げアーム７ｂに係合凹部を形成してもよく、操作穴７ｅに代えて突起を形成するようにしてもよい。また、支持リング７ａの左右から立ち上がる引き上げアーム７ｂの基部コーナー部分には支持リング７ａを周方向で二分するようなU溝状の切欠き部７ｇを形成しておき、端子リフター７の支持リング７ａを端子ネジ５の頭部５ａに嵌着する際に、支持リング７ａが外周方向に撓ませて広げ易くするようにしている。
【０００９】
一方、開閉器ケース1のカバー１ａには、図1で示すようにU，Ｖ，W相の端子ネジ５と個々に対応するドライバの挿入穴１ａ−1，および前記端子リフター７の引き上げアーム７ｂに対応する左右一対のアーム嵌挿穴1a−2を開口しておく。そして、端子ネジ５に端子リフター７を取り付けて開閉器の端子台に組み付けた状態では、図４で示すように端子リフター７の引き上げアーム７ｂをケースカバー１ａに開口した前記嵌挿穴１ａ−２に嵌挿してその上端をカバーの上面に突き出しておく。
次に、前記構成の端子装置３に対して行う配線作業の手順を図４（ａ）〜（ｄ）で説明する。まず、図４（ａ）は端子ネジ５を空締めした状態を表しており、この状態では端子ネジ５がワッシャー６を介して端子板４のネジ穴にねじ込まれており、端子ネジ５に取り付けた端子リフター７は引き上げアーム７ｂの先端がケースカバー１ａの上面側に僅かに突き出している。この状態から配線作業を行うには、まず図４（ｂ）で示すようにケースカバー１ａの上面に開口したドライバ挿入穴１ａ−１にドライバ（ネジ回し）８を挿入して端子ネジ５を緩め、端子ネジ５が端子板４から外れた状態になったところでケースカバー１ａの上面側に突き出している端子リフター７の引き上げアーム７ｂに指を掛けるか、あるいは操作穴７ｅ（図２参照）に側方からドライバ８を差し込んで上方に引き上げる。図４（ｃ）はこの状態を表し、引き上げアーム７ｂの側面に形成した係合突起７ｄがケースカバー１ａの上面側に抜け出てアーム嵌挿穴１ａ−２に掛止され、これにより端子ネジ５が端子板４から上方に離脱した引き上げ位置に掛止保持される。続いて、外部配線に接続した端子（例えば、丸形圧着端子）９を端子板４と端子ネジ５との間の隙間に挿入した上で、ケースカバー１ａの上方側からドライバ８を使って端子ネジ５を端子板４のネジ穴にねじ込むと、図４（ｄ）で示すように外部配線端子９が端子板４とワッシャー６との間に締結されて配線が完了する。なお、配線を替える場合には、前記と同様な手順で端子ネジ５を緩めて端子板４から外し、端子リフター７を上方に引き上げてケースカバー１ａに掛止保持した状態で配線の差し替えを行う。
【００１０】
上記の説明から判るように、端子装置３に付設した端子リフター７は開閉器ケース１の端面から前方に突き出す部分がなく、かつ開閉器の配線時に行う端子リフター７の引き上げ操作は、開閉器のケースカバー１ａの上面側からアクセスして行う。したがって、従来構造の端子リフター（特許文献１参照）で問題となっていた指掛け部が障害物となって配線作業に干渉する懸念がなく、また開閉器の据付け先で配線の付け替えを行う場合でも、外部配線，接続モジュールなどの周囲構造物に邪魔されることなく、端子リフターを簡単な操作で引き上げ位置に掛止保持することができるなど、従来構造と比べて配線作業が短時間で楽に行える。
次に、前記構成の端子装置にフィンガープロテクションレベルＩＰ２０の保護構造を確保して開閉器の保守点検，および配線作業の安全性を高めるように端子カバーを追加装備した実施例を図５〜図９で説明する。
【００１１】
すなわち、図５で示すように開閉器ケース１の両端には、先記の端子台部を包囲する閉鎖形の端子カバー（樹脂成形品）１０が外部付属品として追加装備されている。この端子カバー１０は上部カバー１１と下部カバー１２とを組み合わせて開閉器ケース１の両端から配線方向へ突き出した箱型構造になり、上部カバー１１は図６に示したケースカバー１ａの端子台中央部に形成した台形の係合溝部１ａ−３，先端両サイドに形成した係合突起１ａ−４に装着し、下部カバー１２は上部カバー１１の下端面に嵌合して上部カバーに掛止支持するようにしている。
ここで、上部カバー１１，下部カバー１２の詳細構造は図７（ａ）〜（ｃ）に示すごとくであり、上部カバー１１には端子部に対応して前記ケースカバー１ａに開口したドライバ挿入穴１ａ−１に連通する円筒状の穴部１１ａと、図６に示した台形状係合溝部１ａ−３および係合突起１ａ−４に対応する台形突起部１１ｂおよびフック状の係合突起１１ｃが形成されている。さらに、上部カバー１１の正面にはＵ，Ｖ，Ｗ各相の外部配線（電線）を通すための溝穴として下端側に開放した逆Ｕ字状の切欠溝１１ｄ、および左右両サイドには下部カバー１２を掛止するための係合爪部１１ｅが形成されている（図７（ａ），（ｂ）参照）。一方、下部カバー１２には上部カバーに形成した前記Ｕ字溝１１ｄの開放端側域を閉塞する衝立状の前壁部１２ａ，および係合爪部１１ｅに掛止する上下複数段の係合溝部１２ｂが形成されている（図７（ｃ）参照）。
【００１２】
次に、開閉器の配線時に上記の端子カバー１０を装着する作業の手順を図８（ａ）〜（ｃ）で説明する。まず、図８（ａ）は図１で述べた端子リフター７を使って電線（外部配線）１３の圧着端子１３ａを開閉器の端子板に接続した配線状態を表している。この状態では、端子ネジは開閉器のケースカバー１ａで覆われているが、電線１３の圧着端子１３ａがケース外に露出しており、このままでは通電中の点検などで手が露出している圧着端子１３ａ（充電部）に触れて感電するおそれがあり、これを防ぐために次の手順で端子カバー１０を装着する。
まず、図８（ｂ）のように開閉器のケースカバー１ａの端部に端子カバーの上部カバー１１を上方から被せ、図７に示した円筒状の穴部１１ａ，台形突起部１１ｂをケースカバー１ａに形成したドライバ挿入穴１ａ−１，台形状溝部１ａ−３（図６参照）に嵌め合わせた上で、係合突起１１ｃをケースカバーの係合突起１ａ−４に掛止して所定位置に掛止固定する。この状態では、電線１３が上部カバー１１の前面に形成した切欠溝１１ｄに嵌入し、圧着端子１３ａは上部カバー１１で覆われる。
【００１３】
次に、図８（ｃ）のように上部カバー８の下面に下側から下部カバー１２を嵌め込み、その左右両サイドに形成した係合溝部１２ｂ（図７（ｃ）参照）を上部カバー１１の下縁部分に形成した係合爪１１ｅに係合して掛止支持させる。この状態では、下部カバー１２の前壁部１２ａ（図７（ｃ）参照）が上部カバー１１の切欠溝１１ｄに入り込んでその開放端域を閉塞する。これにより、充電部は端子カバー１０で覆われて外部に露出することがなく、かつ端子カバーを貫通して引き出した電線１３と端子カバーとの間には僅かな隙間を残すだけで、フィンガープロテクションレベルＩＰ２０の保護構造が確保される。
また、上部カバー１１に下部カバー１２を掛止保持させる際に、前記した上下複数段に並ぶ係合溝部１２ｂと結合爪１１ｅ（図７参照）との係合位置を選択して上下方向に調節することにより、上部カバー１１の切欠溝１１ｄと下部カバー１２の前壁部１２ａとで規制される端子カバー１０の電線挿通穴の高さが図９（ａ），（ｂ）のＡ，Bで表すように縮小，拡大変化する。これにより、開閉器の配線時にその端子板ごとに接続する電線の太さ，本数が異なる場合でも、その電線の太さ，接続本数に合わせて電線と端子カバーの電線挿通穴との間に殆ど隙間を残さないように調節することが可能となる。
【図面の簡単な説明】
【００１４】
【図１】本発明の実施例による端子装置の構成図で、（ａ）は端子装置を装備した開閉器全体の外観斜視図、（ｂ）は端子ネジに端子リフターを組み付けた状態の外観斜視図
【図２】図１（ｂ）における端子リフター単独の外形斜視図
【図３】図１（ｂ）に対応する構造図で、（ａ）は正面図、（ｂ）は（ａ）の矢視Ｘ−Ｘ断面図
【図４】図１の端子装置による配線作業の説明図で、（ａ）〜（ｄ）はそれぞれ端子ネジを空締めした状態，端子ネジを緩めた状態，端子リフターを上方に引き上げた状態，および外部配線端子を締結した状態を表す図
【図５】図１の開閉器ケースに端子カバーを装着した状態の外観斜視図
【図６】図５における開閉器のケースカバーの外観斜視図
【図７】図５における端子カバーの詳細構造を表す図で、（ａ），（ｂ）はそれぞれ上部カバーの外観斜視図，および背面側から見た斜視図、（ｃ）は下部カバーの外観斜視図
【図８】開閉器の配線時における端子カバーの取り付け手順の説明図で、（ａ）は開閉器の端子に電線を接続した状態、（ｂ）は開閉器ケースに端子カバーの上部カバーを装着した状態，（ｃ）は上部カバーに下部カバーを掛止した状態を表す図
【図９】端子カバーの上部カバーと下部カバーとの間で調節する掛止位置の説明図で、（ａ），（ｂ）はそれぞれ掛止位置を上，下位置に調節した状態を表す図
【符号の説明】
【００１５】
１    開閉器ケース
１ａ  ケースカバー
３    端子装置
４    端子板
５    端子ネジ
５ａ  端子ネジの頭部
６    ワッシャー
７    端子リフター
７ａ  支持リング
７ｂ  引き上げアーム
７ｄ  係合突起
７ｅ  操作穴
７ｆ  指掛け溝
７ｇ  切欠き部
８    ドライバ（ネジ回し用工具）
９    圧着端子
１０    端子カバー
１１    上部カバー
１１ａ  穴部
１１ｄ  切欠溝
１１ｅ  係合爪
１２    下部カバー
１２ａ  前壁部
１２ｂ  係合溝部
【図１】
2005235730.tif 000003
【図２】
2005235730.tif 000004
【図３】
2005235730.tif 000005
【図４】
2005235730.tif 000006
【図５】
2005235730.tif 000007
【図６】
2005235730.tif 000008
【図７】
2005235730.tif 000009
【図８】
2005235730.tif 000010
【図９】
2005235730.tif 000011